(57)【特許請求の範囲】
【請求項１】
液体を被記録媒体へ噴射して記録を実行する記録部と、
筐体によって囲まれた装置本体の内部に設けられ、前記液体を前記記録部に、液体流動経路および第１の接続チューブを介して供給する供給部材と、
前記装置本体の外部に設けられ、前記液体を収容する外部液体収容体と、
前記供給部材と前記外部液体収容体との間を接続し、該外部液体収容体から該供給部材への前記液体の流路を形成する第２の接続チューブと、
前記装置本体に設けられ、前記第２の接続チューブの少なくとも一部を引き出し可能に収容する接続チューブ収容部と、を備え、
前記液体流動経路は、前記液体を送り出す送出機構を有し、
前記送出機構は、前記第２の接続チューブから前記供給部材を介して前記液体流動経路に流入した前記液体を、前記第１の接続チューブに送り出し、
前記第２の接続チューブは、前記第１の接続チューブと交差して、前記筺体の外部に出ることを特徴とする記録装置。
【請求項２】
請求項１に記載の記録装置において、
前記接続チューブ収容部は、前記被記録媒体が搬送される搬送経路が露出する露出空間に隣接する空間領域に設けられることを特徴とする記録装置。
【請求項３】
請求項１または２に記載の記録装置において、
前記接続チューブ収容部は、前記供給部材が臨む空間領域に設けられることを特徴とする記録装置。
【請求項４】
請求項３に記載の記録装置において、
前記供給部材が臨む空間領域は、前記供給部材に対して前記接続チューブを介さず直接接続可能な前記液体を収容する補助液体収容体が装着可能な空間領域であることを特徴とする記録装置。
【請求項５】
請求項４に記載の記録装置において、
前記供給部材が臨む空間領域には、前記記録部の記録の実行を許容する信号が出力可能な装着部材が装着されることを特徴とする記録装置。
【請求項６】
請求項１ないし５のいずれか一項に記載の記録装置において、
前記接続チューブ収容部には、前記筐体に前記接続チューブを保持するフック形状部が設けられていることを特徴とする記録装置。
【請求項７】
請求項１ないし６のいずれか一項に記載の記録装置において、
前記筐体には、前記装置本体の少なくとも一部を開閉可能に覆う開閉カバーが設けられ、
前記接続チューブ収容部は、前記開閉カバーにおける前記装置本体側に設けられることを特徴とする記録装置。
【請求項８】
請求項１ないし７のいずれか一項に記載の記録装置において、
前記筐体には、前記接続チューブが通過可能な開口部が設けられ、
前記接続チューブ収容部は前記開口部を介して前記装置本体の外部と連通することを特徴とする記録装置。
【請求項９】
請求項８に記載の記録装置において、
前記開口部は、前記接続チューブ収容部において鉛直方向の反重力方向寄りに形成されることを特徴とする記録装置。
【発明の詳細な説明】
【技術分野】
【０００１】
本発明は、液体を被記録媒体に噴射して記録を行う記録装置に関する。
【背景技術】
【０００２】
従来から、被記録媒体の一種としての用紙に対して、例えば記録ヘッドから液体の一種としてのインクを噴射して文字や図形を含む画像を記録する記録部を備えた記録装置が実用化されている。この種の記録装置は、インクを収容したインクカートリッジ（液体収容体）から、このインクカートリッジに挿入された供給針（供給部材）を通して、該インクを記録部に供給する。そして、記録部において、供給されたインクを記録ヘッドから用紙に噴射することで記録を行うとともに、画像の記録に伴ってインクを消費する。従って、この種の記録装置は液体消費装置でもある。
【０００３】
このような液体消費装置としての記録装置において比較的大量の印刷を行う場合に、記録部に連続的に安定してインクを供給するため、インクの収容容量がインクカートリッジよりも大きい外部タンク（液体収容体）からインクを供給する構成が提案されている。例えば、特許文献１には、インクカートリッジの装着部に、インクを供給するインク供給チューブが連結されたアタッチメントを装着する。このアタッチメントの装着によって、記録装置の装置本体外に備えた大容量の外部タンクからインク供給チューブによって供給されるインクを、装着されたアタッチメントを介して装置本体内の記録部へ供給する構成が開示されている。
【先行技術文献】
【特許文献】
【０００４】
【特許文献１】特開２００６−２１２８４５号公報
【発明の概要】
【発明が解決しようとする課題】
【０００５】
しかしながら、特許文献１に開示された構成は、記録装置において外部タンクが装置本体外に離れて設けられる構成である。このため、外部タンクが装置本体に対して遠近異なる種々の場所に配置される場合、外部タンクとアタッチメントとの間を接続する接続チューブとしてのインク供給チューブの長さは、予めアタッチメントから最も遠くに配置される外部タンクと接続可能な長さに設定される。この結果、アタッチメントから近い場所に配置された外部タンクからインクを供給する場合、インク供給チューブは外部タンクとの接続に必要な長さ以上の余分な長さ部分が装置本体に収容されずに装置本体外に位置することになる。
【０００６】
このような場合、例えばユーザーが記録装置を操作する際に、誤って装置本体外に位置するインク供給チューブを手などによって引っ掛け易くなる。このため、例えばインク供給チューブとアタッチメントの間の連結が外れてしまったり、あるいは外部タンクが転倒したりすることが起こり得る。これを回避するためには、インク供給チューブの長さを予め短く設定すればよいが、こうすると外部タンクの配設可能な位置範囲が狭くなってしまう。
【０００７】
本発明は、上記課題の少なくとも一つを解決するためになされたものであり、その主な目的は、余分な長さの接続チューブを装置本体に適宜収容することが可能な記録装置を提供することにある。
【課題を解決するための手段】
【０００８】
上記目的を達成するために、本発明の記録装置は、液体を被記録媒体へ噴射して記録を実行する記録部と、筐体によって囲まれた装置本体の内部に設けられ、前記記録部に前記液体を供給する供給部材と、前記装置本体の外部に設けられ、前記液体を収容する外部液体収容体と、前記供給部材と前記外部液体収容体との間を接続し、該外部液体収容体から該供給部材への前記液体の流路を形成する接続チューブと、前記装置本体に設けられ、前記接続チューブの少なくとも一部を引き出し可能に収容する接続チューブ収容部と、を備えた。
【０００９】
この構成によれば、装置本体に接続チューブ収容部を備えるので、この接続チューブ収容部に余分な長さの接続チューブを適宜収容することによって、装置本体外に位置する接続チューブの長さを短く抑制する。また、接続チューブ収容部に収容した接続チューブを外部液体収容体が配設された位置に応じて装置本体外へ引き出すことによって、装置本体外において外部液体収容体の配設可能な位置範囲が広い記録装置を提供することができる。
【００１０】
本発明の記録装置において、前記接続チューブ収容部は、前記被記録媒体が搬送される搬送経路が露出する露出空間に隣接する空間領域に設けられる。
この構成によれば、収容された接続チューブが被記録媒体の搬送を妨げることが抑制される。
【００１１】
本発明の記録装置において、前記接続チューブ収容部は、前記供給部材が臨む空間領域に設けられる。
この構成によれば、接続チューブ収容部において接続チューブは供給部材と接続されるので、接続チューブ収容部を接続チューブと供給部材との接続の際の作業空間として利用することができる。この結果、接続チューブと供給部材との接続作業が容易となる。
【００１２】
本発明の記録装置において、前記供給部材が臨む空間領域は、前記供給部材に対して前記接続チューブを介さず直接接続可能な前記液体を収容する補助液体収容体が装着可能な空間領域である。
【００１３】
この構成によれば、例えば記録部における液体の消費が比較的少量の場合に、接続チューブ収容部が臨む空間領域に補助液体収容体を装着することによって、接続チューブを介さず直接供給部材に接続して液体を記録部へ供給することができる。
【００１４】
本発明の記録装置において、前記供給部材が臨む空間領域には、前記記録部の記録の実行を許容する信号が出力可能な装着部材が装着される。
この構成によれば、接続チューブから供給部材に直接液体が供給される場合において、記録部による記録を実行させることができる。
【００１５】
本発明の記録装置において、前記接続チューブ収容部には、前記筐体に前記接続チューブを保持するフック形状部が設けられている。
この構成によれば、接続チューブをフック形状部に巻きつけて収容できるので、余分な長さの接続チューブを接続チューブ収容部に適宜収容できる。
【００１６】
本発明の記録装置において、前記筐体には、前記装置本体の少なくとも一部を開閉可能に覆う開閉カバーが設けられ、前記接続チューブ収容部は、前記開閉カバーにおける前記装置本体側に設けられている。
【００１７】
この構成によれば、装置本体に対して開いた状態で開閉カバーに余分な長さの接続チューブを収容した後、開閉カバーを閉めることによって、接続チューブを装置本体内に適宜収容できる。
【００１８】
本発明の記録装置において、前記筐体には、前記接続チューブが通過可能な開口部が設けられ、前記接続チューブ収容部は前記開口部を介して前記装置本体の外部と連通する。
この構成によれば、装置本体に備えられた接続チューブ収容部に、筐体の開口部を介して、余分な長さの接続チューブを容易に収容することができる。
【００１９】
本発明の記録装置において、前記開口部は、前記接続チューブ収容部において鉛直方向の反重力方向寄りに形成される。
この構成によれば、接続チューブ収容部に収容された接続チューブに対して、開口部から装置本体外へ引き出される力が作用しても、装置本体に収容された接続チューブは開口部よりも重力方向側に位置する確率が高くなるので、装置本体外に引き出され難くなる。
【図面の簡単な説明】
【００２０】
【図１】本発明に係る実施形態であるプリンターの斜視図。
【図２】実施形態のプリンターを、装置ケースを一部除去した状態の斜視図。
【図３】実施形態のプリンターが備える液体収容体装着部の周辺構造を示す斜視図。
【図４】プリンターにおいてインク供給チューブの収容状態を模式的に示す構造図。
【図５】インクタンクの具体的な配設位置を模式的に示す斜視図。
【図６】変形例の接続チューブ収容部が装置本体に備えられたプリンターの斜視図。
【図７】変形例で、接続チューブ収容部を前面カバーに備えるプリンターの斜視図。
【発明を実施するための形態】
【００２１】
本発明を具体化した一実施形態として、記録ヘッドとしての液体噴射ヘッドから被記録媒体の一例である用紙に液体の一例であるインクを噴射して消費しつつ画像等を記録（印刷）する記録装置としてのインクジェット式プリンター（単に「プリンター」とも呼ぶ）について、図を参照して説明する。
【００２２】
図１に示すように、本実施形態のプリンター１１は、装置本体１２と、装置本体１２に対して反重力方向（上方向）に連結して搭載された画像読取装置としてのスキャナーユニット１３と、によって構成された複合機である。装置本体１２は、複数の部材で構成された筐体としての装置ケース１４によって囲まれた装置本体１２の内部（略して「装置本体１２内」）に、用紙Ｐにインクを噴射して印刷（記録）する記録部２０（図２参照）などを備える。
【００２３】
この装置ケース１４において、印刷された用紙Ｐの排出方向（図中白抜き矢印）となる前方向の上側には、プリンター１１の印刷動作を実行させる際にユーザーが操作する操作パネル１５が配置されている。操作パネル１５はメニュー画面等を表示するための表示部１５ａ（例えば液晶ディスプレイ）と、表示部１５ａの周囲に設けられた種々の操作ボタン１５ｂとを備えている。
【００２４】
また、装置ケース１４において、操作パネル１５の下側には装置ケース１４の一部を構成する筐体としての前面カバー１６が開閉可能に取り付けられている。前面カバー１６は、その下方に設けた図示しないヒンジなどの回転機構により前方に開く開閉カバーである。なお、前面カバー１６には、前面カバー１６を開閉するときにユーザーが手をかけるための把持部１６ａが凹設されている。
【００２５】
プリンター１１は、前面カバー１６の下方に、用紙Ｐを、装置ケース１４で囲まれた装置本体１２の外部（略して「装置本体１２外」）へ排出する排紙台１９が配設されている。さらに、排紙台１９の下側には、用紙Ｐを積層状態で載置する給紙カセット１８が備えられ、収容された積層最上位の用紙Ｐが一枚ずつ、装置本体１２内に形成された図示しない搬送経路に送り出されて記録部２０へ搬送される。なお、給紙カセット１８は、装置本体１２に対して挿抜可能であって、その前面側に給紙カセット１８を装置本体１２から抜き出す際にユーザーが手をかけるための庇状の把持部１８ａが形成され、装置本体１２から前方への給紙カセット１８の抜き出しが容易とされている。また、装置本体１２の後側において用紙Ｐを載置する載置トレイ１７が設けられ、載置トレイ１７上に載置された用紙Ｐが、同じく装置本体１２内に形成された図示しない搬送経路に送り出されて記録部２０へ搬送される。
【００２６】
また、プリンター１１は、装置本体１２に対して前方から見て左側に、記録部２０が消費するインクを収容するインクタンク５０を、装置本体１２外に配設された外部液体収容体（外部タンク）として備えている。インクタンク５０は本実施形態では４種類のインク（シアンインク、マゼンタインク、イエローインク、黒インクの各色インク）を収容する。そして、各インクの流路として機能する接続チューブとしてのインク供給チューブ５２Ｃ，５２Ｍ，５２Ｙ，５２Ｋが、それらの一端に設けられた接続端子５１を介してインクタンク５０と接続されるとともに、前面カバー１６の左側端部に設けられた開口部１６ｂから装置本体１２内へ各インクをそれぞれ供給する。本実施形態では、開口部１６ｂは、前面カバー１６の左側端部において、部材を端辺から切欠いて形成され、インク供給チューブ５２Ｃ，５２Ｍ，５２Ｙ，５２Ｋが通過可能な切欠き形状で設けられている。なお、以降の説明において、インク供給チューブ５２Ｃ，５２Ｍ，５２Ｙ，５２Ｋを区別せず総称する場合はインク供給チューブ５２と呼ぶ。
【００２７】
プリンター１１では、インク供給チューブ５２によってインクタンク５０から装置本体１２内へ供給された各インクが、記録部２０へ供給されるインクの供給系が構成されている。このインクの供給系について、図２および図３を参照して説明する。
【００２８】
図２に示すように、インクタンク５０から供給される各インクは、インク供給チューブ５２を通して、まず液体収容体装着部３０に供給される。液体収容体装着部３０は、装置本体１２内に設けられ、インクを収容する補助液体収容体としてのインクカートリッジ５５（図３参照）が装着に際して案内される案内部３１ａと、前方が開口しインクカートリッジ５５が挿入される空間領域ＳＰ１を内部に有する略箱形状のカートリッジホルダー３１と、を備えている。
【００２９】
図３に示したように、カートリッジホルダー３１には、インクカートリッジ５５に収容されたインクが供給される供給部材としての供給針３５を備えている。供給針３５は、カートリッジホルダー３１の空間領域ＳＰ１において、インクカートリッジ５５の挿入方向である後方側に備えられ、各インクカートリッジ５５（二点鎖線）が装着された際にインクカートリッジ５５に挿入される構成を有している。なお、図３では、シアンインクが収容されたインクカートリッジ５５Ｃのみを二点鎖線で例示している。また、説明の都合上、シアンインクが供給されるインク供給チューブ５２Ｃについて、供給針３５への接続がなされる前の状態で図示している。
【００３０】
本実施形態では、例示したインク供給チューブ５２Ｃように、各供給針３５に対してインク供給チューブ５２を接続して、インク供給チューブ５２から各供給針３５へインクを流入させる。すなわち、インク供給チューブ５２によって、インクタンク５０から供給針３５へのインクの流動を可能にする。
【００３１】
こうして、インク供給チューブ５２から供給針３５へ流入した各インクは、続いて、液体収容体装着部３０の後方に配設された流路形成部４０を構成する流路形成体４１に形成されたインクの流動経路４１ａに流入する。流動経路４１ａには、例えばダイヤフラムポンプなどの流路ポンプや逆止弁などから構成されるインクを送り出す送出機構が設けられている。この送出機構の動作によって、各インクは、流路形成体４１において流動経路４１ａの流路端に設けられた流路端子４２から、この流路端子４２に接続された接続端子４３を介してインク供給チューブ４４に送り出される。
【００３２】
図２に戻り、インク供給チューブ４４に送り出された各インクは、インク供給チューブ４４において接続端子４３と反対側の端部に接続されたキャリッジ２１を介して液体噴射ヘッド２２に供給され、キャリッジ２１の移動に際して液体噴射ヘッド２２から用紙Ｐに噴射されて画像等が印刷（記録）される。
【００３３】
すなわち、装置本体１２内において用紙Ｐの排出方向と交差する幅方向（左右方向）に沿って延びるガイド軸２３が架設されている。また、ガイド軸２３には左右方向に沿って移動可能な状態でキャリッジ２１が支持されている。キャリッジ２１は、図示しないキャリッジモーターの駆動に伴って移動するベルト２４にその一部が固定され、ベルト２４の移動とともに走査方向となる左右方向に沿って往復移動する。キャリッジ２１の下面側には、用紙Ｐに対してインクを噴射する液体噴射ヘッド２２が支持されている。そして、キャリッジ２１を移動させることで液体噴射ヘッド２２を移動させるとともに、移動する液体噴射ヘッド２２から用紙Ｐに各インクを噴射させる。さらに、用紙Ｐは、前面カバー１６を開いたときにキャリッジ２１（液体噴射ヘッド２２）の移動領域の少なくとも一部が装置本体１２外から視認可能に露出する露出空間ＳＳＨに設けられた搬送経路に沿って、後方から前方へ所定量ずつ搬送され、用紙Ｐに画像等が印刷される。なお、本実施形態では、キャリッジ２１および液体噴射ヘッド２２が記録部２０に相当する。
【００３４】
液体収容体装着部３０は、その空間領域が、装置本体１２内において搬送経路が露出する露出空間ＳＳＨとはケース壁部１４ｈによって区画されている。すなわち、本実施形態では、液体収容体装着部３０は、用紙Ｐが搬送される搬送経路が露出する露出空間ＳＳＨに隣接する空間領域に形成されている。
【００３５】
ところで、プリンター１１では、インクカートリッジ５５からインクが供給される場合に、インクカートリッジ５５に備えられた記憶素子（不図示）とプリンター１１の制御部（不図示）との間で所定の情報データ（例えばインクカートリッジの識別やインクの残量などのデータ）の通信を行う。すなわち、本実施形態では図３に示すように、カートリッジホルダー３１の上部において、各インクカートリッジ５５との間で情報データを通信する電気端子３２Ｃ，３２Ｍ，３２Ｙ，３２Ｋが設けられている。そして、インクカートリッジ５５が装着されると、この電気端子３２Ｃ，３２Ｍ，３２Ｙ，３２Ｋに対応して設けられた各電気端子５６を介して各インクカートリッジ５５が備える記憶素子との間で所定の情報データが通信される。この通信によってプリンター１１では、記録部２０における用紙Ｐへの印刷動作（記録）が実行されたり、各インクカートリッジ５５について記憶素子に記憶された所定の情報データが更新されたりする。
【００３６】
このため、供給針３５にインク供給チューブ５２を直接接続してインクタンク５０からインクを供給する場合は、インクタンク５０と電気端子３２Ｃ，３２Ｍ，３２Ｙ，３２Ｋとの間での通信が行われないため、プリンター１１において記録部２０での印刷動作が実行されない場合がある。あるいは、インクタンク５０に収容されるインク量がインクカートリッジ５５に比べて多いことから、例えばインクタンク５０内にインクが残存していても、プリンター１１においてインクの残量を示す情報データがゼロとなることで印刷動作が実行されない場合もある。
【００３７】
そこで、本実施形態では、図３に示すように、電気端子３２Ｃ，３２Ｍ，３２Ｙ，３２Ｋとの間での通信を行い、プリンター１１における情報データを更新する装着部材としての代用カセット６０を液体収容体装着部３０に装着する。すなわち、代用カセット６０は、インク供給チューブ５２と干渉しないように後方および下方の一部がそれぞれ開口する空間部ＳＰ２が設けられ、各インクカートリッジ５５に替えてカートリッジホルダー３１に装着可能なカセット本体６１を有している。そして、カセット本体６１において上面に設けられた各電気端子６２Ｃ，６２Ｍ，６２Ｙ，６２Ｋが、装着状態において各電気端子３２Ｃ，３２Ｍ，３２Ｙ，３２Ｋとの間でデータ通信可能とされる。この通信可能とされた状態において、例えば、カセット本体６１の前面に設けられたボタン６３の操作によって、所定の情報データを修正したりリセットしたりしてインクタンク５０からインクを供給する状態に合致するように情報データを適切に更新する。この結果、プリンター１１において、記録部２０における印刷動作が実行される。なお、代用カセット６０は、各インクカートリッジ５５（ここでは４個）に対応してそれぞれ用意し、カートリッジホルダー３１にそれぞれ装着されるようにしてもよい。
【００３８】
本実施形態のプリンター１１では、上述したようにインクの供給系が構成されている。そして、このインクの供給系において、インク供給チューブ５２の一部が、巻かれた状態あるいは折り曲げられた状態で装置本体１２内に収容される。本実施形態では、図２および図３に示すように、インク供給チューブ５２における所定の長さ部分が案内部３１ａ上の空間領域およびカートリッジホルダー３１の空間領域ＳＰ１に収容される。このインク供給チューブの収容について、図４を参照して説明する。なお、図４では、プリンター１１を簡略化して図示するとともに、インク供給チューブ５２の収容にかかる構成部材のみを、模式的に図示している。
【００３９】
図４に示すように、インク供給チューブ５２が通過する前面カバー１６の開口部１６ｂは装置本体１２内において案内部３１ａの上側に形成される空間領域ＳＰ３と連通する。なお、空間領域ＳＰ３は、その前方向が前面カバー１６で、その右方向がケース壁部１４ｈで、それぞれ区画されて、装置本体１２内に形成される。さらに空間領域ＳＰ３は、カートリッジホルダー３１の空間領域ＳＰ１と連通する。また、前述するように供給針３５が空間領域ＳＰ１に臨むように設けられている。従って、開口部１６ｂから装置本体１２内に入り込んだインク供給チューブ５２は、空間領域ＳＰ１において供給針３５と接続されるとともに、空間領域ＳＰ３および空間領域ＳＰ１に収まる分の長さを所定の長さとして、これらの空間領域に収容される。もとより、これらの空間領域には、インク供給チューブ５２の少なくとも一部が、開口部１６ｂから装置本体１２外へ引き出すことが可能な状態で収容される。
【００４０】
この結果、本実施形態では、空間領域ＳＰ１および空間領域ＳＰ３の双方は、開口部１６ｂと連通する空間領域であり、インク供給チューブ５２の少なくとも一部を収容する接続チューブ収容部ＳＳＰとして機能する。従って、接続チューブ収容部ＳＳＰは、露出空間ＳＳＨに隣接する空間領域に設けられるとともに、供給針３５に対してインク供給チューブ５２を介さず直接接続可能なインクカートリッジ５５が装着される空間領域でもある。なお、本実施形態では、空間領域ＳＰ３は、少なくとも空間領域ＳＰ１がそのまま前面カバー１６に至るまで前方に延在した空間領域を有している。
【００４１】
さらに、開口部１６ｂは、接続チューブ収容部ＳＳＰにおいて鉛直方向の反重力方向すなわち上側寄りに形成される。すなわち、本実施形態では図４に示すように、開口部１６ｂは空間領域ＳＰ１（空間領域ＳＰ３）が鉛直方向（上下方向）において占有する寸法Ｈ２に対して、領域下端（ここでは案内部３１ａの上面）からの位置が、寸法Ｈ２の半分の寸法Ｈ１の位置よりも上方に、その開口が位置するように形成されている。
【００４２】
このように形成された開口部１６ｂ、および装置本体１２内に備えられたインク供給チューブ５２を収容可能な接続チューブ収容部ＳＳＰすなわち空間領域ＳＰ３および空間領域ＳＰ１による作用について、図５を参照して説明する。なお、図５において各インクタンク５０Ａ，５０Ｂ，５０Ｅ，５０Ｆは、簡略化された形状（ここでは直方体形状）で図示されている。
【００４３】
本実施形態では、インク供給チューブ５２の長さを、予め少なくとも開口部１６ｂから最も遠い位置に配設されるインクタンク５０、すなわち図５におけるインクタンク５０Ｅに対して接続可能な長さに設定する。そして、図５においてインクタンク５０Ａで示すように、開口部１６ｂから最も近い位置（装置本体１２の左側）にインクタンクを配設する場合、装置本体１２外に位置するインク供給チューブ５２Ａが弛まない状態になるように、インク供給チューブ５２を開口部１６ｂから装置本体１２内の接続チューブ収容部ＳＳＰ（空間領域ＳＰ３）へ押し込む。こうすることで、装置本体１２外に位置するインク供給チューブ５２Ａを最も短い長さにすることができる。なお、この場合は、接続チューブ収容部ＳＳＰに収容されるインク供給チューブ５２は最も長くなるが、開口部１６ｂが接続チューブ収容部ＳＳＰにおいて上方に位置することよって、開口部１６ｂから装置本体１２内に収容された部分が装置本体１２外へ容易には押し出されない。
【００４４】
次に、この状態から、図５においてインクタンク５０Ｅで示すように、開口部１６ｂから最も遠い位置（装置本体１２の前方右側）にインクタンク５０を配設する場合、接続チューブ収容部ＳＳＰに収容されたインク供給チューブ５２を開口部１６ｂから引き出す。このとき、装置本体１２外に位置するインク供給チューブ５２Ｅが弛まない状態を維持するように、必要な長さ分のインク供給チューブ５２を開口部１６ｂから装置本体１２外へ引き出す。こうすることで、装置本体１２外に位置するインク供給チューブ５２Ｅを最も短い長さにすることができる。
【００４５】
同様に、開口部１６ｂから最も遠い位置と最も近い位置との間の位置にインクタンク５０を配設する場合、収容されたインク供給チューブ５２を開口部１６ｂから引き出したり、インク供給チューブ５２を開口部１６ｂから接続チューブ収容部ＳＳＰへ押し込んだりする。例えば、インクタンク５０を、図５においてインクタンク５０Ｅで示す位置からインクタンク５０Ｂで示す位置（装置本体１２の前方左側）に移設する場合、装置本体１２外に位置するインク供給チューブ５２Ｂが弛まない状態を維持するように、必要な長さ分、開口部１６ｂから装置本体１２内へインク供給チューブ５２を押し込む。あるいは、インクタンク５０を図５においてインクタンク５０Ａで示す位置からインクタンク５０Ｆで示す位置（スキャナーユニット１３の上側）に配設する場合、装置本体１２外に位置するインク供給チューブ５２Ｆが弛まない状態を維持するように、必要な長さ分、インク供給チューブ５２を開口部１６ｂから装置本体１２外へ引き出す。こうすることで、装置本体１２外に位置するインク供給チューブ５２Ｂあるいはインク供給チューブ５２Ｆを最も短い長さにすることができる。
【００４６】
このように、接続チューブ収容部ＳＳＰは、インクタンク５０をプリンター１１に対して種々の位置に配設した際に、収容するインク供給チューブ５２の長さを調節することで、装置本体１２外に位置するインク供給チューブ５２の長さが最も短くなるように適宜調節する。なお、図５では図示を省略しているが、インクタンク５０は、装置本体１２の右側や後側においても配設されることは勿論である。
【００４７】
上記実施形態によれば、以下のような効果を得ることができる。
（１）装置本体１２に接続チューブ収容部ＳＳＰを備えるので、この接続チューブ収容部ＳＳＰに余分な長さのインク供給チューブ５２を適宜収容することによって、装置本体１２外に位置するインク供給チューブ５２の長さを短く抑制する。また、接続チューブ収容部ＳＳＰに収容したインク供給チューブ５２をインクタンク５０が配設された位置に応じて装置本体１２外へ引き出すことによって、装置本体１２外においてインクタンク５０の配設可能な位置範囲が広いプリンター１１を提供することができる。
【００４８】
（２）搬送経路が露出する露出空間ＳＳＨに隣接する空間領域に設けられる接続チューブ収容部ＳＳＰにインク供給チューブ５２が収容されるので、インク供給チューブ５２が用紙Ｐの搬送を妨げることが抑制される。
【００４９】
（３）接続チューブ収容部ＳＳＰにおいてインク供給チューブ５２は供給針３５と接続されるので、接続チューブ収容部ＳＳＰをインク供給チューブ５２と供給針３５との接続の際の作業空間として利用することができる。この結果、インク供給チューブ５２と供給針３５との接続作業が容易となる。
【００５０】
（４）記録部２０におけるインクの消費が比較的少量の場合に、接続チューブ収容部ＳＳＰが臨む空間領域にインクカートリッジを装着することによって、インク供給チューブ５２を介さず直接供給針３５に接続してインクを記録部２０へ供給することができる。
【００５１】
（５）記録部２０の印刷動作の実行を許容する信号が出力可能な代用カセット６０が装着されるので、インク供給チューブ５２から供給針３５に直接インクが供給される場合において、記録部２０による印刷動作を実行させることができる。
【００５２】
（６）装置本体１２に備えられた接続チューブ収容部ＳＳＰに、前面カバー１６の開口部１６ｂを介して、余分な長さのインク供給チューブ５２を容易に収容することができる。
【００５３】
（７）接続チューブ収容部ＳＳＰに収容されたインク供給チューブ５２に対して、開口部１６ｂから装置本体１２外へ引き出される力が作用しても、装置本体１２内に収容されたインク供給チューブ５２は開口部１６ｂよりも重力方向側に位置する確率が高くなり、装置本体１２外に引き出され難くなる。
【００５４】
なお、上記実施形態は以下のように変更してもよい。
・上記実施形態において、開口部１６ｂは必ずしも前面カバー１６において切欠き形状で形成されなくてもよい。例えば図５にて二点鎖線で示すように、前面カバー１６において空間領域ＳＰ３と連通する位置であって前面に開けられた貫通穴１６ｃを開口部１６ｂとしてもよい。こうすれば、図５から明らかなように、最も遠くに配設されたインクタンク５０Ｅに接続されるインク供給チューブ５２Ｅについて、装置本体１２外に位置する余分なインク供給チューブ５２の長さを極力短くすることができるので、ユーザーが手などを引っ掛ける確率を低くできる。
【００５５】
・上記実施形態において、前面カバー１６に必ずしも開口部を設けなくてもよい。例えば、前面カバー１６をインク供給チューブ５２が通る程度の隙間が形成されるように開き、形成された隙間にインク供給チューブ５２を通過させるようにしてもよい。この場合、粘着テープなどを装置ケース１４との間に渡るように貼り、前面カバー１６がさらに開かないように止めておくことが好ましい。
【００５６】
・上記実施形態において、接続チューブ収容部ＳＳＰには、装置ケース１４あるいは前面カバー１６にインク供給チューブ５２を保持するフック形状部が設けられていてもよい。本変形例について、図６を参照して説明する。なお、図６において上記実施形態と同じ構成要素については同符号を付し、それらの説明は省略する。
【００５７】
図６に示すように、装置本体１２の開口部１６ｂ側、すなわち装置ケース１４の左側面には、上下方向に一対のフック形状部１４Ｆが、貼り付けやねじ止めなどによって固定されている。そして、この一対のフック形状部１４Ｆは、装置本体１２において、接続チューブ収容部ＳＳＰを形成する。すなわち、全長がインクタンク５０との接続に必要な長さ以上のインク供給チューブ５２における余分な長さ部分を装置本体１２外に位置させ、その余分な長さ部分を一対のフック形状部１４Ｆに巻きつけることによって、インク供給チューブ５２を、装置ケース１４の側面に保持して装置本体１２に収容する。もとより、一対のフック形状部は前面カバー１６に設けられていてもよい。また、一対のフック形状部が設けられた一つの部材が、装置ケース１４あるいは前面カバー１６に固定されてもよい。
【００５８】
本変形例によれば、上記実施形態の効果（１）（３）（４）（５）に加えて次の効果を奏する。
（８）インク供給チューブ５２をフック形状部に巻きつけて収容できるので、余分な長さのインク供給チューブ５２を接続チューブ収容部ＳＳＰに適宜収容できる。
【００５９】
・上記実施形態において、接続チューブ収容部ＳＳＰは、前面カバー１６における装置本体１２側に設けられてもよい。本変形例について、図７を参照して説明する。なお、図７において上記実施形態と同じ構成要素については同符号を付し、それらの説明は省略する。
【００６０】
図７に示すように、前面カバー１６を閉じた状態で、前面カバー１６の装置本体１２側である内側に、インク供給チューブ５２を図中破線で示すように折りたたむようにして収納する。この場合は、図示しないが、まず前面カバー１６を開いた状態にしておき、前面カバー１６の内側すなわち上面に、インク供給チューブ５２を折り曲げたり渦巻き状にしたりして載置する。その後、インク供給チューブ５２が載置された状態で前面カバー１６を閉めるようにする。なお、本変形例においても、上記変形例と同様に、前面カバー１６の内面側に一対のフック形状部を設け、このフック形状部にインク供給チューブを巻きつけるようにしてもよい。
【００６１】
本変形例によれば、上記実施形態の効果（１）〜（６）に加えて次の効果を奏する。
（９）装置本体１２に対して開いた状態で、前面カバー１６に余分な長さのインク供給チューブ５２を収容した後、前面カバー１６を閉めることによって、インク供給チューブ５２を装置本体１２内に適宜収容できる。
【００６２】
・上記実施形態において、開口部１６ｂは、必ずしも接続チューブ収容部ＳＳＰにおいて鉛直方向の反重力方向寄りに形成されなくてもよい。要は、接続チューブ収容部ＳＳＰに収容されたインク供給チューブ５２が装置本体１２外に容易に押し出されない位置であれば何処に形成されてもよい。
【００６３】
・上記実施形態において、接続チューブ収容部ＳＳＰは、必ずしもインクカートリッジ５５が装着される空間領域でなくてもよい。要は、装置本体１２内に設けられた空間領域であれば何処でもよい。
【００６４】
・上記実施形態において、接続チューブ収容部ＳＳＰは必ずしも供給針３５が臨む空間領域でなくてもよい。例えば、インク供給チューブ５２が収容される空間領域が、供給針３５から離れた位置に設けられる場合であっても、インク供給チューブ５２が、この空間領域を経由して供給針３５に接続可能な空間領域であれば、接続チューブ収容部ＳＳＰとして採用できる。
【００６５】
・上記実施形態において、インクタンク５０から供給されるインクは４種類に限定されない。例えば一種類であってもよいし、さらに多くの種類（例えば６種類など）のインクであってもよい。また、インクの色も４色に限定されない。なお、インクタンク５０から供給するインクの種類や色が、インクカートリッジ５５から供給するインクの種類や色よりも数が少ない場合、インクタンク５０からのインクの供給と、インクカートリッジ５５からのインクの供給とを併用するようにしてもよい。
【００６６】
・上記実施形態において、被記録媒体は用紙Ｐに限るものでなく、金属板、樹脂板、布などを材料とする板状部材であってもよい。すなわち、搬送可能であって、記録部２０が消費するインクによって記録可能な部材であれば、被記録媒体として採用できる。
【００６７】
・上記実施形態において、記録部２０は、キャリッジ２１に伴って液体噴射ヘッド２２が往復移動するシリアル式のプリンターに限らず、液体噴射ヘッド２２を固定したままでも用紙最大幅範囲の印字が可能なラインヘッド式のプリンターであってもよい。
【００６８】
・上記実施形態において、プリンター１１はスキャナーユニット１３を備えない装置であってもよいし、記録部２０とともにＦＡＸ装置やコピー装置などの機能を備えた複合機であってもよい。
【００６９】
・上記実施形態では、記録装置を、インクを噴射する液体噴射ヘッドを備えたインクジェット式のプリンター１１として具体化したが、インク以外の他の液体を噴射したり吐出したりする液体噴射装置として具体化してもよい。微小量の液滴を吐出させる液体噴射ヘッド等を備える各種の液体噴射装置を流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置がある。あるいは、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００７０】
１１…記録装置としてのプリンター、１２…装置本体、１４…筐体としての装置ケース、１４Ｆ…フック形状部、１６…開閉カバーとしての前面カバー、１６ｂ…開口部、２０…記録部、３０…液体収容体装着部、３５…供給部材としての供給針、４０…流路形成部、４１ａ…流動経路、４２…開口部、５０…外部液体収容体としてのインクタンク、５２…接続チューブとしてのインク供給チューブ、５５…補助液体収容体としてのインクカートリッジ、Ｐ…被記録媒体としての用紙、ＳＰ１，ＳＰ３…空間領域、ＳＳＰ…接続チューブ収容部、ＳＳＨ…露出空間。
【図１】
0006044068.tif 000002
【図２】
0006044068.tif 000003
【図３】
0006044068.tif 000004
【図４】
0006044068.tif 000005
【図５】
0006044068.tif 000006
【図６】
0006044068.tif 000007
【図７】
0006044068.tif 000008